(57)【特許請求の範囲】
【請求項１】
境目の両側を見開き及び重ね合わせ可能な見開き部を有するベース側シート，
前記見開き部の境目と略平行な第１の折り目を介して連続する一対の起立片と、前記第１の折り目と略平行な第２の折り目を介して前記起立片の端部に連続しており、前記境目から所定の間隔をあけて前記見開き部に固定される一対の固定片とを有する起立シート，
前記見開き部を閉じた状態で前記一対の起立片の内側に収納されており、前記見開き部を開いた状態で前記一対の起立片の側端から一部が外側に突出する突出シート，
を備えており、
前記突出シートが略帯状体であって、
長さ方向と略直交する方向に、略中央部に形成された第１の折り目，
該第１の折り目の両側に所定の間隔をおいて形成されており、該第１の折り目と非平行な一対の第２の折り目，
該第２の折り目と略帯状体の両端の間に形成されており、前記第１の折り目と非平行な一対の第３の折り目，
を備えるとともに、
前記第２及び第３の折り目が、前記第１の折り目と逆方向に折り曲げられ、前記第３の折り目から略帯状体の端部までの部分が、前記一対の起立片の内側で前記見開き部に固定され、
前記第１及び第２の折り目間に形成された把持部で、略中央部に開口部を有するディスク状の被保持体を把持するとともに、
前記把持部に、前記被保持体の開口部に係合する係止片，
を設けたことを特徴とするポップアップ構造体。
【請求項２】
前記係止片を、前記把持部に略半円状の切り込みを形成し、折り返して形成したことを特徴とする請求項１記載のポップアップ構造体。
【請求項３】
前記突出シートの第１の折り目に、前記被保持体の一部を挟み込み可能なスリット，
を設けたことを特徴とする請求項１又は２記載のポップアップ構造体。
【請求項４】
前記起立シートの第１の折り目又は起立片に設けられたスリット，
該スリットに着脱可能に貫通し、前記見開き部を開いた状態で前記突出シートに係合し、該突出シートが前記起立シートの側端から外部に突出するのを防止する係合片，
を備えたことを特徴とする請求項１〜３のいずれか一項に記載のポップアップ構造体。
【請求項５】
前記起立シートの固定片と前記ベース側シートの見開き部の間に、他の被保持体の収納部を設けたことを特徴とする請求項１〜４のいずれか一項に記載のポップアップ構造体。
【請求項６】
前記起立シートの固定片に、スリットないし切り抜き部を設けたことを特徴とする請求項５記載のポップアップ構造体。
【請求項７】
前記起立シートの一対の起立片に、前記見開き部を開いたときに起立片の内側又は外側に折り返し可能な折り返し部を切り込みによって形成し、該折り返し部の折り返しによって、他の被保持体を保持可能な窓を形成したことを特徴とする請求項１〜６のいずれか一項に記載のポップアップ構造体。
【請求項８】
前記折り返し部に、筋，凹凸，折り目，切り落とし部の少なくともいずれかを設けたことを特徴とする請求項７記載のポップアップ構造体。
【請求項９】
前記ベース側シート又は起立シートの少なくともいずれかに、ミシン目を設けたことを特徴とする請求項１〜８のいずれか一項に記載のポップアップ構造体。
【請求項１０】
前記ベース側シートに、前記境目に跨る切り込みによって、前記見開き部を開いたときに前記ベース側シートに対する起き返しにより前記境目の折り癖を矯正する折り癖矯正片を形成したことを特徴とする請求項１〜９のいずれか一項に記載のポップアップ構造体。
【発明の詳細な説明】
【技術分野】
【０００１】
本発明は、コンパクトディスクやカード，商品見本，広告などが見開き部分から飛び出すポップアップ構造体に関するものである。
【背景技術】
【０００２】
見開き部分を開いたときに、内側から飛び出した構造体に板状の情報媒体を保持した封筒構造として、下記特許文献１に記載の封筒構造が開示されている。当該技術によれば、ベース用シートの隣接する一対の紙片を折畳んだときに、前記一対の紙片間の第１折り目と平行な第３折り目を介して逆方向に折畳まれる補助シートの両端側が第１折り目から所定の隙間をあけて一対の紙片の内面にそれぞれ接着され、折畳んだ一対の紙片を開いたとき第３折り目を頂部として接続する一対の傾斜部が補助シートに形成される封筒構造において、前記第３折り目に平行な第１及び第２長孔が前記一対の傾斜部にそれぞれ形成され、板状の情報媒体が前記第１及び第２長孔を貫通して支持される。そして、前記一対の紙片を折畳んだとき前記板状の情報媒体が逆方向に折畳まれた前記補助シートによって前記第１折り目で折畳む前及び折畳んだ前記一対の紙片を開いたとき前記情報媒体が開かれた前記一対の紙片と略平行になるように構成することにより、開封した受取人に封筒の内容に興味を持たせ、該受取人による滞留時間を延ばすようにしている。
【特許文献１】特許第３８４６６７７号公報
【発明の開示】
【発明が解決しようとする課題】
【０００３】
しかしながら、上述した特許文献１は、情報媒体の封入が主な用途であって、他の各種の対象物の封入を前提とした構成となっていない。また、前記情報媒体のずれを防止するために、前記第１折り目に設けたスリットに挿通して前記情報媒体の中央の孔に係止する係止片を用いている。このため、前記係止片が紛失したり破損したりすると、情報媒体の保持が良好に行われないおそれがある。更に、情報媒体が不要になった場合に他の用途に利用しにくいため、資源の有効利用が十分ではないという不都合がある。
【０００４】
本発明は、以上の点に着目したもので、その目的は、(1)抜き差しする部材を用いずに被保持体を安定に保持すること，(2)略平面状以外の形状の被保持体にも適用可能であること，(3)事前に封入ないし収納された被保持体が不要になった後にも他の利用用途があること，(4)封筒以外の利用形態があること，(5)見開き時の視覚的効果が高いこと，の少なくともいずれかを満たすことが可能なポップアップ構造体を提供することである。
【課題を解決するための手段】
【０００５】
前記目的を達成するため、本発明のポップアップ構造体は、境目の両側を見開き及び重ね合わせ可能な見開き部を有するベース側シート，前記見開き部の境目と略平行な第１の折り目を介して連続する一対の起立片と、前記第１の折り目と略平行な第２の折り目を介して前記起立片の端部に連続しており、前記境目から所定の間隔をあけて前記見開き部に固定される一対の固定片とを有する起立シート，前記見開き部を閉じた状態で前記一対の起立片の内側に収納されており、前記見開き部を開いた状態で前記一対の起立片の側端から一部が外側に突出する突出シート，を備えており、前記突出シートが略帯状体であって、長さ方向と略直交する方向に、略中央部に形成された第１の折り目，該第１の折り目の両側に所定の間隔をおいて形成されており、該第１の折り目と非平行な一対の第２の折り目，該第２の折り目と略帯状体の両端の間に形成されており、前記第１の折り目と非平行な一対の第３の折り目，を備えるとともに、前記第２及び第３の折り目が、前記第１の折り目と逆方向に折り曲げられ、前記第３の折り目から略帯状体の端部までの部分が、前記一対の起立片の内側で前記見開き部に固定され、前記第１及び第２の折り目間に形成された把持部で、略中央部に開口部を有するディスク状の被保持体を把持するとともに、前記把持部に、前記被保持体の開口部に係合する係止片，を設けたことを特徴とする。
【０００６】
主要な形態の一つは、前記係止片を、前記把持部に略半円状の切り込みを形成し、折り返して形成したことを特徴とする。
【０００７】
他の形態は、前記突出シートの第１の折り目に、前記被保持体の一部を挟み込み可能なスリット，を設けたことを特徴とする。更に他の形態は、前記起立シートの第１の折り目又は起立片に設けられたスリット，該スリットに着脱可能に貫通し、前記見開き部を開いた状態で前記突出シートに係合し、該突出シートが前記起立シートの側端から外部に突出するのを防止する係合片，を備えたことを特徴とする。
【０００８】
更に他の形態は、前記起立シートの固定片と前記ベース側シートの見開き部の間に、他の被保持体の収納部を設けたことを特徴とする。更に他の形態は、前記起立シートの固定片に、スリットないし切り抜き部を設けたことを特徴とする。
【０００９】
更に他の形態は、前記起立シートの一対の起立片に、前記見開き部を開いたときに起立片の内側又は外側に折り返し可能な折り返し部を切り込みによって形成し、該折り返し部の折り返しによって、他の被保持体を保持可能な窓を形成したことを特徴とする。更に他の形態は、前記折り返し部に、筋，凹凸，折り目，切り落とし部の少なくともいずれかを設けたことを特徴とする。
【００１０】
更に他の形態は、前記ベース側シート又は起立シートの少なくともいずれかに、ミシン目を設けたことを特徴とする。更に他の形態は、前記ベース側シートに、前記境目に跨る切り込みによって、前記見開き部を開いたときに前記ベース側シートに対する起き返しにより前記境目の折り癖を矯正する折り癖矯正片を形成したことを特徴とする。
【００１１】
本発明の前記及び他の目的，特徴，利点は、以下の詳細な説明及び添付図面から明瞭になろう。
【発明の効果】
【００１２】
本発明は、ベース側シートを開いたときに、見開き部分に立ち上がる起立片の内側に収納されていたディスク状の被保持体を、略帯状体を複数の位置で折り返した突出シートによって把持した状態で、前記起立片の側方から外部に突出させることとした。このため、被保持体の安定した保持，封入された被保持体が不要になった後の他用途への利用，封筒以外の形態への適用，見開き時の視覚的効果の向上，のいずれかが可能になるという効果が得られる。
【発明を実施するための最良の形態】
【００１３】
以下、本発明を実施するための最良の形態を、実施例に基づいて詳細に説明する。
【実施例１】
【００１４】
最初に、図１〜図５を参照しながら本発明の実施例１を説明する。図１(A)は本実施例の外観斜視図，図１(B)は開閉中の状態を示す断面図，図１(C)は閉じた状態を示す断面図である。図２及び図３は、本実施例の変形例を示す図，図４及び図５は、本実施例の使用例を示す図である。まず、図１を参照して、本実施例の基本形態を説明する。本実施例のポップアップ構造体１０は、見開き可能なベース側シート１２と、該ベース側シート１２に固定される起立シート２０により構成されている。前記ベース側シート１２は、略中央部の折り目１４を境にして左右の見開き部１６Ａ，１６Ｂが見開き及び折畳み可能となっている。
【００１５】
前記起立シート２０は、前記ベース側シート１２の折り目１４と略平行な第１の折り目２２を介して一対の起立片２４Ａ，２４Ｂが連続するとともに、前記第１の折り目２２と略平行な第２の折り目２６Ａ，２６Ｂを介して、前記起立片２４Ａ，２４Ｂの端部に一対の固定片２８Ａ，２８Ｂが連続した構成となっている。前記起立片２４Ａ，２４Ｂには、被保持体（図示の例ではコンパクトディスク（ＣＤ））４０が貫通する一対のスリット３２Ａ，３２Ｂが、前記第１の折り目２２と略平行に形成されている。該スリット３２Ａ，３２Ｂの上縁の略中央部には、前記被保持体４０の中央の孔４２に係合する略３角形状の係止片３４Ａ，３４Ｂが設けられるとともに、下縁には該係止片３４Ａ，３４Ｂと略同一形状の凹部３６Ａ，３６Ｂが設けられている。このような構成の起立シート２０は、図１(B)及び(C)に示すように、前記固定片２８Ａ，２８Ｂが、前記境目１４から所定の間隔をあけて接着剤３０Ａ，３０Ｂなどによって前記見開き部１６Ａ，１６Ｂに固定される。
【００１６】
次に、図４も参照して、本実施例の作用を説明する。前記ポップアップ構造体１０は、前記起立シート２０の第２の折り目２６Ａ，２６Ｂを、前記第１の折り目２２と反対方向に予め折り曲げた状態で、前記固定片２８Ａ，２８Ｂを見開き部１６Ａ，１６Ｂに接着することで組み立てられる。そして、前記スリット３２Ａ，３２Ｂに被保持体４０を貫通させるとともに、前記係止片３４Ａ，３４Ｂを前記被保持体４０の孔４２に係合させて前記被保持体４０を保持する。ベース側シート１２の見開き部１６Ａ，１６Ｂを閉じていくと、前記起立シート２０が、第１の折り目２２及び第２の折り目２６Ａ，２６Ｂで折り曲がる。そして、前記見開き部１６Ａ，１６Ｂを被保持体４０の縁近傍まで閉じたら、図１(B)に示すように、起立シート２０の弾性を利用して、前記被保持体４０を前記スリット３２Ａ，３２Ｂを支点として回転させ、続けて、図１(C)に示すように、見開き部１６Ａ，１６Ｂを更に閉じる。その後、必要に応じて図４(A-1)に示すように、見開き部１６Ａ，１６Ｂの縁部を剥離可能に接着して、被保持体４０を封入した状態とする。あるいは、図４(A-2)に示すように、剥離可能なシール４４を縁部に貼るようにしてもよい。なお、図示の例では、シール４４を３箇所に設けているが、これは一例であり、１箇所，２箇所，４箇所にするなど、必要に応じて適宜増減してよい。
【００１７】
前記ポップアップ構造体１０は、図４(A-1)又は(A-2)に示すように封筒構造にして郵送する，図４(B)に示すように雑誌８４に差し込む，図４(C)に示すように配布するなどの適宜手段によって、ユーザの手元に届けられる。なお、前記図４(B)に示すように雑誌８４に取り付ける場合には、該雑誌８４の見開き部８８Ａ，８８Ｂに、その境目８６を跨ぐように前記起立シート２０を直接取り付けるようにしてもよいし、前記ベース側シート１２ごと雑誌８４に取り付けるようにしてもよい。また、雑誌８４への差し込み場所も任意であり、最初や最後のページに設けてもよいし、他の特定ページに挟み込むようにしてもよい。なお、本類への挟み込みの他の具体例については後述する。更に、図４(C)に示すように配布する場合にも、必要に応じて前記シール４４を貼り付けて簡単に内容物が分からないようにすることにより、ユーザの興味をひくようにしてもよい。前記ユーザがベース側シート１２の見開き部分１６Ａ，１６Ｂを開き、前記起立片２４Ａ，２４Ｂが徐々にその間隔を広げて見開き部１６Ａ，１６Ｂが被保持体４０に接触しなくなると、起立シート２０の復元力により、前記スリット３２Ａ，３２Ｂを支点として被保持体４０が回転する。そして、前記見開き部１６Ａ，１６Ｂが完全に平面状に開かれた状態では、前記被保持体４０が前記ベース側シート１２と略平行状態に保持される。
【００１８】
前記ユーザが、本実施例の前記被保持体４０であるＣＤに興味を持ち再生しようとする場合には、前記スリット３２Ａ，３２Ｂに保持された被保持体４０を引き出すと、前記係止片３４Ａ，３４Ｂが変形して前記孔４２との係合が解除され、被保持体４０を取り出すことができる。被保持体４０を取り出したあとは、前記係止片３４Ａ，３４Ｂは形状が復元し、繰り返し前記穴４２と係合が可能となっている。なお、再生後のＣＤは、再び前記スリット３２Ａ，３２Ｂに保持させてもよいし、別の場所に保管してもよい。
【００１９】
また、前記ＣＤを取り出した後のスリット３２Ａ，３２Ｂによって、他の被保持体を保持するようにしてもよい。例えば、図１(A)に示すように、スリット３２Ａ，３２Ｂに折り曲げたメモ４６を掛けるという具体である。この場合、前記メモ４６の枚数を多くすると、その重みで起立シート２０の下方の支えとなり安定させることができる。なお、図示の例では、前記メモ４６を両方のスリット３２Ａ，３２Ｂに通したが、一方のスリットにのみ通し、端の部分を前記起立片２４Ａ，２４Ｂの内側に垂らすようにしてもよい。なお、前記メモ４６は一例であり、例えば、古事，教訓，逸話，詩，昔話，カレンダーなどを表示したシート（ないし紙片）を、前記スリット３２Ａ，３２Ｂに挟み込んだり、掛けたりしてもよい。
【００２０】
このように、本実施例によれば、前記起立片２４Ａ，２４Ｂに設けた一対のスリット３２Ａ，３２Ｂに、被保持体４０の孔４２に係合可能な係止片３４Ａ，３４Ｂを設けることとしたので、抜き差しする部材を設けることなく被保持体４０を安定に保持することができる。また、封筒構造のみならず、雑誌綴じこみなどの各種形態に適用可能である。更に、ベース側シート１２の見開きにより、前記起立片２４Ａ，２４Ｂが立ち上がり被保持体４０が回転して略水平状態になるため、高い視覚効果が得られる。なお、上述した説明では、被保持体４０として略平面状のＣＤを例に挙げたが、これも一例であり、スリット３２Ａ，３２Ｂに挿通可能な厚みのものであれば、略平面状や略板状に限定することなく各種形状の被保持体を保持するようにしてよい。
【００２１】
次に、図２，図３，図５を参照して、本実施例の変形例を説明する。まず、図２(A)に示す例は、前記スリット３２Ａに、起き返し片５４や６０を設けた例である。前記起き返し片５４，６０は、前記スリット３２Ａに連続する切り込み５０，５６を設けることによって、折り目５２，５８を介して前記起立片２４Ａに対して非平行に起き返したものである。そして、その縁部５４Ａ，６０Ａによって前記被保持体４０の裏面を受け、略水平状態を一層安定に保つことが可能となっている。むろん、このような起き返し片５４や６０は、前記スリット３２Ｂ側に設けるようにしてもよいし、スリット３２Ａ，３２Ｂの下側のみでなく上側に設けるようにしてもよい。また、形状も任意であり、略方形状の起き返し片５４や、略イチョウ型の起き返し片６０以外の形状としてもよい。
【００２２】
図２(B)に示す例は、前記係止片３４Ａ，３４Ｂ及び凹部３６Ａ，３６Ｂの変形例であって、前記スリット３２Ａの上側に略半円状の係止片６２Ａを設け、下側に略同一形状の凹部６２Ｂを設けた例である。また、図２(C)に示す例は、前記スリット３２Ａの上側に略半円状の凹部６４Ｂを設け、前記スリット３２Ａの下側に、略同一形状の係止片６４Ａを設けた例である。更に、図２(D-1)〜(D-3)に示す例は、前記スリット３２Ａの縁部下側に略半円形の係止片６６のみを設けた例であり、図２(D-2)及び(D-3)は、前記図２(D-1)を＃２−＃２線に沿って切断し矢印方向に見た断面図である。前記係止片６６は、前記被保持体４０をスリット３２Ａに挿通するときには、図２(D-2)に示すように折り目６８に沿って曲がり、被保持体４０の孔４２と位置が合うと、図２(D-3)に示すように折り目６８が伸びて前記孔４２に係合する。このように、係止片及び凹部の形状や向きを変更しても、前記図１に示す形態と同様の効果を得ることができる。
【００２３】
また、図３(A)に示すポップアップ構造体１０Ａでは、ベース側シート１２Ａの見開き部１６Ａ，１６Ｂに、前記起立シート２０の固定片２８Ａ，２８Ｂの縁部を挟み込むための切り込みガイド７０Ａ〜７０Ｆ（７０Ｆは図示せず）を設けた例である。このような取り付け構造とすることにより、起立シート２０をベース側シート１２Ａに安定して固定するとともに容易に取り外すことができ、見開き部１６Ａ，１６Ｂに印刷された画像などを観賞したり、前記切り込みガイド７０Ａ〜７０Ｆに任意の絵画や写真などを挟み込んで、フレーム代わりに利用したりすることが可能となる。次に、図３(B)に示す起立シート２０Ａは、起立片２４Ａ，２４Ｂに設けるスリット３２Ａ，３２Ｂの高さに段差を設けた例である。段差を設けることにより、ベース側シート１２を折畳むときに、前記被保持体４０が一定方向に傾きやすくなり開閉をスムースに行うことができる。なお、図３(B)に示す例の場合、ベース側シート１２を見開いたときに被保持体４０が略水平になろうとする力（反発力）が弱くなる傾向にあるため、起立シート２０を腰のある素材で形成すると都合がよい。
【００２４】
図３(C)に示すポップアップ構造体１０Ｂは、起立シート２０Ｂの固定片２８Ａ，２８Ｂに工夫を設けた例である。まず、固定片２８Ａは、両側端と第２の折り目２６Ａ側に接着部７２が設けられており、見開き部１６Ａとの間にメモなどの紙片を収納可能な構成となっている。また、前記固定片２８Ａには、収納した内容物が分かるように、任意の形状の切り抜き部７４や切り込み７６が設けられる。一方、固定片２８Ｂは、四方の縁部が見開き部１６Ｂに接着されており、接着部７８で囲まれた内側にスリット８０を設けることによって、前記見開き部１６Ｂとの間にメモ８２などを収納可能となっている。このように、固定片２８Ａ，２８Ｂと、ベース側シート１０の見開き部１６Ａ，１６Ｂとの間に収納部を形成することにより、被保持体４０以外の物品の収納ないし保持が可能となる。更に、図３(D)に示す例は、前記起立シート２０の固定片２８Ａ，２８Ｂとベース側シート１２の接着部３０Ａを、第２の折り目２６Ａから所定の間隔をあけて設けた例である。すると、前記ベース側シート１２を開いたときに、同図に矢印で示す非接着部分に遊びが生じ、起立片２４Ａ，２４Ｂが予測不能な運動を起こすため、視覚効果の向上を図ることができる。
【００２５】
図５に示す例は、本実施例のポップアップ構造体１０で保持していた被保持体４０を取り外した後の利用例の一部であって、図５(A-1)に示すように、起立シート２０の第１の折り目２２を切断して、図５(A-2)に示すように内面２５Ａ，２５Ｂを表に出すことにより、前記内面２５Ａ，２５Ｂに設けた画像の観賞などをしてもよい。図５(A-3)には、前記内面２５Ａ，２５Ｂに設ける表示物として、「災害緊急連絡先カレンダー」及び「都道府県緊急連絡先」が例示されている。むろん、この他の内容（例えば「防犯カレンダー」など）を前記内面２５Ａ，２５Ｂに設けるようにしてもよい。また、図５(B-1)に示す起立シート２０Ｃのように、起立片２４Ａ，２４Ｂの長さに差を設けることによって、一方の起立片（図示の例では２４Ｂ）をベース側シート１２に対して略垂直に立ち上がらせるようにしてもよい。このような構造とすることにより、同図に示すように、ベース側シート１２及び固定片２８Ｂを、ピン９０などで壁８９に固定することにより、略水平状態となった起立片２４Ｂの上に、他の被保持体９２Ａを乗せることが可能となる。あるいは、図５(B-2)に示すように、前記起立シート２０Ｃのスリット３２Ｂに、ペンなどの被保持体９２Ｂを差して収納するようにしてもよい。
【実施例２】
【００２６】
次に、図６を参照しながら本発明の実施例２を説明する。なお、上述した実施例１と同一ないし対応する構成要素には同一の符号を用いることとする（以下の実施例についても同様）。図６(A)は本実施例の外観斜視図，図６(B)はスリット近傍の接着範囲を示す正面図，図６(C)は断面図である。本実施例のポップアップ構造体１００は、ベース側シート１２と起立シート１０２によって構成されている。前記ベース側シート１２の構成は、前記実施例１と同様である。前記起立シート１０２は、ベース側シート１２の折り目１４と略平行な第１の折り目１０４を介して連続するとともに、所定長さの両端部を残して貼り合わせられた一対の起立片１０６Ａ，１０６Ｂと、前記第１の折り目１０４と略平行な第２の折り目１１２Ａ，１１２Ｂを介して前記起立片１０６Ａ，１０６Ｂの非貼り合わせ部の端部に連続した一対の固定片１１４Ａ，１１４Ｂによって構成されている。
【００２７】
前記起立片１０６Ａ，１０６Ｂの貼り合わせ部１０８には、前記第１の折り目１０４と略平行なスリット１１０が設けられている。そして、前記固定片１１４Ａ，１１４Ｂが、ベース側シート１２の折り目１４から所定の間隔をあけて見開き部１６Ａ，１６Ｂに適宜手段で固定される。起立片１０６Ａ,１０６Ｂを貼り合わせる接着剤１１６は、前記スリット１１０から漏れないように、図６(B)に示すように前記スリット１１０の周囲を少し残すように設けられる。このとき、同図に示すように前記スリット１１０に向けて若干突出した凸部１１８を数箇所（図示の例では４箇所）設けることにより、十分な強度を有するとともに接着剤１１６のはみ出しがない良好な仕上がりを得ることができる。なお、前記接着剤１１６は、乾くと収縮して前記起立片１０６Ａ，１０６Ｂ間に平面状の構造物を形成するようになるため、強度の向上に有効である。
【００２８】
本実施例の基本的な作用は上述した実施例１と同様であり、ベース側シート１２の見開き部１６Ａ，１６Ｂを被保持体４０の周縁近傍まで閉じたら、起立シート１０２の弾性力を利用して被保持体４０を回転させるが、このときの支点がスリット１１０の１ヶ所となるため前記実施例１よりも回転をスムースに行うことができる。また、閉じた状態の見開き部１６Ａ，１６Ｂを開くときの作用も、被保持体４０の回転の支点が１ヶ所となる以外は、基本的には上述した実施例１と同様である。仮に、前記実施例１において、スリット３２Ａ，３２Ｂの位置を、起立片２４Ａ，２４Ｂの下方へ移動させるとすると、被保持体４０を支える支点の距離（スリット３２Ａ，３２Ｂ間の距離）が広がってしまい、開閉時に被保持体４０が回転しにくくなるが、本実施例では、図６(C)に示すように、貼り合わせ部１０８の範囲内であればスリット１１０の位置を上下に移動させても被保持体４０の回転に影響を及ぼすことがない。
【００２９】
このように実施例２によれば、一対の起立片１０６Ａ，１０６Ｂの貼り合わせ部１０８に、前記第１の折り目１０４と略平行なスリット１１０を設けて被保持体４０を保持することとしたので、ベース側シート１２を開閉するときの被保持体４０の回転をスムースに行うことができる。また、前記起立片１０６Ａ，１０６Ｂを貼り合わせる接着剤１１６を、スリット１１０の周囲を残して設けるとともに、該スリット１１０に向けて若干突出した複数の凸部１１８を設けることとしたので、十分な強度とともに良好な仕上がりが得られる。なお、本実施例においても、前記実施例１と同様に、スリット１１０に被保持体４０の孔４２に係合する係止片（図示せず）を設けるようにしてもよい。
【実施例３】
【００３０】
次に、図７を参照しながら本発明の実施例３を説明する。図７(A)は外観斜視図，図７(B)は断面図，図７(C)は使用例を示す断面図，図７(D)は本実施例の変形例を示す断面図である。本実施例のポップアップ構造体１５０は、ベース側シート１２と起立シート１５２によって構成されている。前記起立シート１５２は、ベース側シート１２の境目１４と略平行な第１の折り目１５４を介して連続する一対の起立片１５６Ａ，１５６Ｂと、前記第１の折り目１５４と略平行な第２の折り目１６６Ａ，１６６Ｂを介して前記起立片１５６Ａ，１５６Ｂの端部に連続する一対の固定片１６８Ａ，１６８Ｂを備えている。前記一対の起立片１５６Ａ，１５６Ｂは、ほぼ全体が貼り合わせられており、該貼り合わせ部１５８には、前記第１の折り目１５４と略平行なスリット１６０が設けられている。該スリット１６０の略中央部の上側には、被保持体４０の孔４２に係合する係止片１６２が設けられており、前記スリット１６０の略中央部下側には、前記係止片１６２と略同一形状の凹部１６４が設けられている。なお、前記係止片１６２及び凹部１６４は一例であり、上述した図２(B)，(C)，(D-1)〜(D-3)に示すような形状としてもよい。
【００３１】
前記固定片１６８Ａ，１６８Ｂは、図７(B)に示すように、貼り合わせ部１５８の端部が前記折り目１４上にくるように、前記見開き部１６Ａ，１６Ｂに接着剤１７０により固定されている。なお、前記接着剤１７０は、図７(B)に示すように、前記固定片１６８Ａ，１６８Ｂと見開き部１６Ａ，１６Ｂの間を完全に隙間なく接着することはできないが、ここに形成される略三角形の非接着部１７２によって、強度の向上を図ることができる。
【００３２】
本実施例では、前記見開き部１６Ａ，１６Ｂを開いた時には、前記第１の折り目１５４を頂部として前記貼り合わせ部１５８がベース側シート１２上に立ち上がり、前記スリット１６０に貫通した被保持体４０が前記ベース側シート１２に対して略平行状態に保持される。また、見開き部１６Ａ，１６Ｂを閉じるときは、前記実施例２と同様に、スリット１６０を支点として被保持体４０がスムースに回転し、起立片１５６Ａ，１５６Ｂととともに見開き部１６Ａ，１６Ｂの間に収納される。なお、被保持体４０を取り外した後のポップアップ構造体１５０は、ベース側シート１２の見開き部１６Ａ，１６Ｂを図７(C)に示すように折り畳むことによって、台１７４などに安定して置くことができる。折り畳んだ見開き部１６Ａ，１６Ｂは、重ね合わせ部分を図示しないクリップなどで留めるようにしてもよいし、一方に設けた切り込みに他方を差し込んで留めるようにしてもよい。そして、例えば、起立片１５６Ａ，１５６Ｂに写真や画像を設け、固定片１６８Ａ，１６８Ｂにカレンダーなどを設けることにより、卓上カレンダーなどとしての利用が可能となる。
【００３３】
以上説明したように、実施例３によれば、一対の起立片１５６Ａ，１５６Ｂのほぼ全体を貼り合わせ、該貼り合わせ部１５８に設けたスリット１６０によって被保持体４０を保持することとしたので、上述した実施例２の効果に加え、強度の向上を図ることが可能となる。また、起立片１５６Ａ，１５６Ｂや、固定片１６８Ａ，１６８Ｂの表面に画像やカレンダーなどを設けることにより、被保持体４０の保持のほか、卓上カレンダーなどの他の用途に利用できる。なお、図７(D)に示す変形例の起立シート１５２Ａのように、一方の固定片１６８Ｂを、他方の固定片１６８Ａよりも長くすることにより、貼り合わせ部１５８や固定片１６８Ｂを傾斜させて、当該部分に設けられた画像やカレンダーなどを見やすくするようにしてもよい。あるいは、前記見開き部１６Ａ，１６Ｂの折り曲げ位置を左右で変えることにより、傾斜具合を調整するようにしてもよい。
【実施例４】
【００３４】
次に、図８(A)を参照しながら本発明の実施例４を説明する。図８(A)は本実施例の外観斜視図である。本実施例のポップアップ構造体２００は、ベース側シート１２と起立シート２０２により構成されている。前記起立シート２０２は、見開き部１６Ａ，１６Ｂの折り目１４と略平行な第１の折り目２０４を介して連続しており、該第１の折り目２０４から所定の間隔をあけて略平行に形成された第３の折り目２０６Ａ，２０６Ｂを有する一対の起立片２１０Ａ，２１０Ｂと、前記第１の折り目２０４と略平行な第２の折り目２１２Ａ，２１２Ｂを介して前記起立片２１０Ａ，２１０Ｂの端部に連続した一対の固定片２１４Ａ，２１４Ｂを有している。前記起立片２１０Ａ，２１０Ｂには、前記第３の折り目２０６Ａ，２０６Ｂと、第２の折り目２１２Ａ，２１２Ｂの間に、被保持体４０が貫通可能な一対のスリット２１６Ａ，２１６Ｂが形成されている（スリット２１６Ｂは図示せず）。該スリット２１６Ａ，２１６Ｂには、必要に応じて上述した実施例１と同様の係止片及び凹部を設けるようにしてよい。前記固定片２１４Ａ，２１４Ｂは、前記折り目１４から所定の間隔をあけて、適宜方法によって前記見開き部１６Ａ，１６Ｂに固定される。
【００３５】
本実施例の基本的作用は、上述した実施例１と同様であり、見開き部１６Ａ，１６Ｂを完全に開いた状態では、ベース側シート１２上に立ち上がった起立片２１０Ａ，２１０Ｂのスリット２１６Ａ，２１６Ｂに貫通した被保持体４０は、前記ベース側シート１２に対して略平行に保持される。また、本実施例ではこれに加え、前記スリット２１６Ａ，２１６Ｂ間の距離が離れているため、起立片２１０Ａ，２１０Ｂが開くときの反発力により大きな動きが生じる。更に、前記第３の折り目２０６Ａ，２０６Ｂが頂部になり、前記第１の折り目２０４が谷部になるように折り曲げることにより、他の被保持体２１８Ａ（図示の例ではペン）を乗せる受部２０８が形成される。また、前記受部２０８には、紙を丸めたメッセージをカバー２２０で留めた略円筒状の被保持体２１８Ｂを乗せてもよいし、細長い試供品のような被保持体２１８Ｃを乗せるようにしてもよい。むろん、前記受部２０８に乗せることが可能な形状のものであれば、前記被保持体２１８Ａ〜２１８Ｃ以外のものを乗せるようにしてよい。一方、前記見開き部１６Ａ，１６Ｂを閉じるときの作用は、前記実施例１と同様である。なお、ベース側シート１２を折り畳んだ状態では、前記第１の折り目２０４が頂部になっていてもよいし、前記第３の折り目２０６Ａ，２０６Ｂが頂部になっていてもよい。このように、本実施例によれば、他の被保持体２１８Ａ〜２１８Ｃも保持できるとともに、より大きな視覚効果が得られるという効果がある。
【実施例５】
【００３６】
次に、図８(B)を参照しながら本発明の実施例５を説明する。図８(B)は本実施例の外観斜視図である。本実施例のポップアップ構造体２５０は、ベース側シート１２と起立シート２５２により構成されている。前記起立シート２５２は、見開き部１６Ａ，１６Ｂの折り目１４と略平行な第１の折り目２５４を介して連続しており、該第１の折り目２５４から所定の間隔をあけて略平行に形成された第３の折り目２５６Ａ，２５６Ｂを有する一対の起立片２６０Ａ，２６０Ｂと、前記第１の折り目２５４と略平行な第２の折り目２６４Ａ，２６４Ｂを介して前記起立片２６０Ａ，２６０Ｂの端部に連続する一対の固定片２６６Ａ，２６６Ｂとを有している。前記一対の起立片２６０Ａ，２６０Ｂは、前記第２の折り目２６４Ａ，２６４Ｂ側が所定の範囲で貼り合わせられ、かつ、貼り合わせ部２６２の端部が、前記折り目１４上にくるように、前記固定片２６６Ａ，２６６Ｂが、適宜手段で前記見開き部１６Ａ，１６Ｂに固定される。また、前記貼り合わせ部２６２には、前記第２の折り目２６４Ａ，２６４Ｂと、第３の折り目２５６Ａ，２５６Ｂの間に、前記第１の折り目２５４と略平行なスリット２６８Ａ，２６８Ｂ（スリット２６８Ｂは図示せず）が設けられている。スリット２６８Ａ，２６８Ｂには、必要に応じて係止片や凹部が設けられる。
【００３７】
本実施例では、前記見開き部１６Ａ，１６Ｂを開いた時には、前記貼り合わせ部２６２がベース側シート１２上に立ち上がり、前記スリット２６８Ａ，２６８Ｂに貫通した被保持体４０が前記ベース側シート１２に対して略平行状態に保持される。これに加え、前記実施例４と同様に、前記第３の折り目２５６Ａ，２５６Ｂが頂部になり、前記第１の折り目２５４が谷部になるように折り曲げることにより、他の被保持体２１８Ａ〜２１８Ｃを乗せるための受部２５８が形成される。また、見開き部１６Ａ，１６Ｂを閉じるときの作用は、前記実施例２と同様となっており、貼り合わせ部２６２に設けられたスリット２６８を支点として回転するため、被保持体４０がスムースに回転可能となっている。このように、実施例５によれば、見開き部１６Ａ，１６Ｂの開閉をスムースに行うとともに、他の被保持体２１８Ａ〜２１８Ｃの保持も可能になると効果がある。
【実施例６】
【００３８】
次に、図９を参照しながら本発明の実施例６を説明する。本実施例は、上述したいずれかの実施例の起立片に、被保持体４０以外のものを保持するための窓を設けた例である。まず、図９(A)に示すポップアップ構造体１００Ａは、前記実施例２に窓を設けた例であって、起立シート１０２Ａの起立片１０６Ａ，１０６Ｂに、見開き状態のベース側シート１２と略平行になる起き返し片１２０Ａ，１２０Ｂを設けることにより、窓１２４を形成した構造となっている。前記起き返し片１２０Ａ，１２０Ｂは、筋（ないし溝）１２２を有しており、これによって前記窓１２４に挿通したペンなどの被保持体１２６の回転を防止することができる。
【００３９】
図９(B)及び(C)に示すポップアップ構造体１０Ｃは、前記実施例１に窓を設けた例であり、起立片２４Ａ，２４Ｂに、起き返し片９４Ａ，９４Ｂを設けることによって、窓９６Ａ，９６Ｂを形成したものである。前記起き返し片９４Ａ，９４Ｂは、図９(B)に示すように、起立片２４Ａ，２４Ｂの内側に折り曲げてもよいし、図９(C)に示すように外側に折り曲げるようにしてもよい。
【００４０】
図９(D)に示すポップアップ構造体１０Ｄも、前記実施例１に窓を設けた例である。起立シート２０Ｄの起立片２４Ａ，２４Ｂには、第１の折り目２２と略平行なスリット１３８Ａ，１３８Ｂ（スリット１３８Ｂは図示せず）が設けられるとともに、窓１３１Ａ，１３１Ｂが形成されている。前記スリット１３８Ａ，１３８Ｂの下縁には、凹部１４０Ａ，１４０Ｃと凸部１４０Ｂが設けられており、凹部１４０Ａ，１４０Ｃによってペンなどの被保持体を保持するとともに、前記凸部１４０Ｂによってメモなどの略平面状の被保持体を押えることが可能となっている。前記窓１３１Ａ，１３１Ｂは、起き返し片１３０Ａ，１３０Ｂを折り目１３３Ａ，１３３Ｂで内側に折り曲げることにより形成される。更に、前記起き返し片１３０Ａ，１３０Ｂは、他の折り目１３２Ａ，１３２Ｂで上方に折り曲げられており、先端の起立部１３４Ａ，１３４Ｂの裏面同士が接着されている。このため、起立シート２０Ｄを比較的薄い紙で形成しても、強度を保つことができる。なお、前記起立部１３４Ａ，１３４Ｂは、両端が切り落とされており、該切り落とし部１３６に、例えばペンなどの被保持体を挟むことが可能となっている。このように、本実施例によれば、起立片に窓を設けることにより、複数種類の被保持体の保持が可能になるとともに、内側に折り曲げた起き返し片同士を接着することで、強度の向上を図ることができる。
【実施例７】
【００４１】
次に、図１０(A-1)，(A-2)，(B)を参照しながら本発明の実施例７を説明する。前記図１０(A-2)は、前記(A-1)を一部拡大して示す正面図である。本実施例は、上述した実施例１〜６を組み合わせた例である。まず、図１０(A-1)に示す例では、ポップアップ構造体３００は、ベース側シート１２と起立シート３０２によって構成されている。前記起立シート３０２は、第１の折り目３０４を介して連続する一対の起立片３０６Ａ，３０６Ｂが、第２の折り目３０８Ａ，３０８Ｂに達しないスリット３１８，３２４Ａ，３２４Ｂによって分断されている。前記スリット３１８の図面左側の起立片３０６Ａ，３０６Ｂには、係止片３１４と凹部３１６を有するスリット３１２が設けられており、被保持体４０を保持可能となっている。また、前記スリット３１８の図面右側の起立片３０６Ａ，３０６Ｂには、第１の折り目３０４と略平行なスリット３２０が設けられており、メモなどの被保持体３２２が保持可能となっている。また、前記スリット３１８にも、ペンなどの他の被保持体が保持可能となっている。
【００４２】
一方、前記スリット３２４Ａ，３２４Ｂによって分断された起立片３２６Ａ，３２６Ｂは、前記第１の折り目３０４に沿って上端側が切り離されているが、第２の折り目３０８Ａ，３０８Ｂ側で前記起立片３０６Ａ，３０６Ｂにつながっている。このため、ベース側シート１２を開いたときに、立ち上がるとともに、切り離された端部が大きく動いて視覚的な効果を高める。また、前記スリット３２４Ａ，３２４Ｂにも、任意の被保持体が保持可能である。ここで、図１０(A-2)に示すように、前記スリット３２４Ａ，３２４Ｂの幅Ｗと、これらスリット３２４Ａ，３２４Ｂと第２の折り目３０８Ａ，３０８Ｂとの間隔Ｉは、起立シート３０２を形成する素材に応じて設定される。例えば、起立シート３０２として比較的堅い素材（腰がある素材）を用いたときには、前記幅Ｗ及び間隔Ｉを広くし、比較的柔らかい素材（腰がない素材）を用いたときには狭く設定するという具合である。更に、前記起立片３０６Ａ，３０６Ｂの端部に、第２の折り目３０８Ａ，３０８Ｂを介して連続した固定片３１０Ａ，３１０Ｂは、適宜手段によって見開き部１６Ａ，１６Ｂに固定されている。本実施例では、前記固定片３１０Ａと見開き部１６Ａの間には、レターやメモなどが収納可能となっており、前記固定片３１０Ａには、収納物を取り出すための切り抜き部３２８が設けられている。
【００４３】
次に、図１０(B)に示すポップアップ構造体３５０は、ベース側シート１２と起立シート３５２によって構成されている。前記起立シート３５２は、第１の折り目３５４を介して一対の起立片３５６Ａ，３５６Ｂが連続しており、該起立片３５６Ａ，３５６Ｂの端部には、前記第１の折り目３５４と略平行な第２の折り目３５８Ａ，３５８Ｂを介して一対の固定片３６０Ａ，３６０Ｂが設けられている。前記一対の起立片３５６Ａ，３５６Ｂには、前記第１の折り目３５４に略平行なスリット３６２，３６８が設けられている。前記スリット３６２は、被保持体４０と係合する係止片３６４と凹部３６６を有しており、前記スリット３６８にはメモなどの被保持体３２２が保持される。
【００４４】
更に、前記起立片３５６Ａ，３５６Ｂには、折り目３７１，３７２で折り曲げられる起き返し片３７０によって、窓３７３が形成されている。該起き返し片３７０の先端の起立部３７４には切り落とし部３７６が形成されており、ペンなどの被保持体を挟むことが可能となっている。このように、実施例７によれば、一つのポップアップ構造体に、複数のスリットや窓を設けることによって、多種類の被保持体の保持ないし収納を行うことができるという効果がある。
【実施例８】
【００４５】
次に、図１１〜図１３を参照しながら本発明の実施例８を説明する。図１１(A)は本実施例の外観斜視図，図１１(B)は前記(A)を＃１１−＃１１線に沿って切断し矢印方向に見た断面図，図１１(C)は前記(B)の部分拡大図，図１１(D-1)及び(D-2)は開閉中の状態を示す正面図，図１１(E)及び(F)は突出片及びメッセージカードを示す正面図である。図１２は、本実施例の使用例を示す図，図１３は、本実施例の変形例を示す図である。本実施例のポップアップ構造体４００は、ベース側シート１２，起立シート４０２，支持シート４１６，突出片４３０，メッセージカード４４０により構成されている。前記起立シート４０２は、第１の折り目４０４を介して一対の起立片４０８Ａ，４０８Ｂが連続しており、該起立片４０８Ａ，４０８Ｂの端部には、前記第１の折り目４０４と略平行な第２の折り目４１０Ａ，４１０Ｂを介して一対の固定片４１２Ａ，４１２Ｂが設けられている。そして、前記固定片４１２Ａ，４１２Ｂが、前記ベース側シート１２の折り目１４から所定の間隔をおいて、接着剤４１４により見開き部１６Ａ，１６Ｂに固定されている。また、前記第１の折り目４０４には、スリット４０６が形成されるとともに、該スリット４０６の両端側には、切り離し可能なミシン目４４５が、前記第１の折り目４０４と略平行に設けられている。
【００４６】
次に、前記支持シート４１６は、前記起立シート４０２の一対の起立片４０８Ａ，４０８Ｂの内側において前記ベース側シート１２に固定されており、前記突出片４３０の一端を支持するものである。詳述すると、図１１(C)に示すように、前記支持シート４１６は、第１の折り目４１７を介して一対の起立片４２０Ａ，４２０Ｂが連続しており、該起立片４２０Ａ，４２０Ｂの端部には、前記第１の折り目４１７と略平行な第２の折り目４２２Ａ，４２２Ｂを介して一対の固定片４２４Ａ，４２４Ｂが設けられている。すなわち、前記支持シート４１６は、図１１(B)に示すように、断面形状が前記起立シート４０２と略同一となっている。また、前記第１の折り目４１７には、突出片４３０の端部４３０Ｂを差し込むためのスリット４１８が形成されている。そして、前記固定片４２４Ａ，４２４Ｂが、前記ベース側シート１２の折り目１４から所定の間隔をおいて、接着剤４１４などにより見開き部１６Ａ，１６Ｂに固定される。
【００４７】
前記支持シート４１６に支持される突出片４３０は、図１１(E)に示すように、一方の端部４３０Ａ寄りの位置に指先の図柄が設けられており、該指先のカーブに沿って切り込み４３２が設けられている。また、前記端部４３０Ａの両角は曲線状に形成されている。一方、前記メッセージカード４４０は、前記起立シート４０２の起立片４０８Ａ，４０８Ｂの内面４０９Ａ，４０９Ｂに設けられている内容を示す文字（図示の例では「防災・災害緊急連絡カレンダー」）が設けられるとともに、略中央部に一対の切り込み４４２Ａ，４４２Ｂが設けられている。前記メッセージカード４４０を突出片４３０に取り付けるときには、図１１(F)に示すように、まず、一方の切り込み４４２Ａを突出片４３０の切り込み４３２にかけ、次に、他方の切り込み４４２Ｂを突出片４３０の端部４３０Ａに掛けて、そのカーブに沿って滑らせる。このようにすると、突出片４３０とメッセージカード４４０が前後で交互に噛み合うようになるため、突出片４３０が動いてもメッセージカード４４０がずれたり落ちたりするのを防止することができる。なお、前記突出片４３０は、前記見開き部１６Ａ，１６Ｂを閉じた状態において、前記スリット４０６から端部４３０Ａが若干突出する程度の長さに設定されている。
【００４８】
次に、本実施例の作用を説明する。本実施例のポップアップ構造体４００では、図１１(D-1)に示すように、ベース側シート１２を完全に閉じた状態では、前記起立シート４０２及び支持シート４１６は、前記第１の折り目４０４及び４１７を頂部として折り畳まれるとともに、起立片４０８Ａ，４０８Ｂのスリット４０６から突出片４３０の端部４３０Ａ及びメッセージカード４４０が若干突出した状態である。そして、図１１(B)に示すように、見開き部１６Ａ，１６Ｂを開いていくと、起立シート４０２及び支持シート４１６の一対の起立片４０８Ａ，４０８Ｂ及び４２０Ａ，４２０Ｂが、前記第１の折り目４０４，４１７を頂部として立ち上がり始めるとともに、前記起立シート４０２のスリット４０６から突出片４３０が徐々に突出する。そして、見開き部１６Ａ，１６Ｂを完全に開くと、図１１(D-2)に示すように、突出片４３０のほぼ半分程度が前記スリット４０６から突出し、メッセージカード４４０を目立たせることができる。
【００４９】
以上のような構成のポップアップ構造体４００は、図１１(A)に示す状態で任意の場所に設置してもよいし、図１２(A)に示すように、ベース側シート１２の見開き部１６Ａ，１６Ｂを任意の位置に設けた折り目４４４Ａ，４４４Ｂに沿って折り曲げて設置するようにしてもよい。この状態では、前記起立シート４０２の固定片４１２Ａ，４１２Ｂが傾斜しており目立ちやすい。これを利用し、前記固定片４１２Ａ（ないし４１２Ｂ）の適宜位置に切り込み４１３を設けておき、写真４４１などを差し込んで飾ってもよい。むろん、前記切り込み４１３に差し込むのは、写真４４１に限定されるものではなく、カレンダーなどであってもよい。カレンダーの場合は、例えば、表面にカレンダーを設け、裏面に防災の心得などを表示しておくことにより、新しい月にカレンダーを入れ替える際に、裏面の情報を確認して防災意識を高めることができる。そして、例えば、災害が発生して起立片４０８Ａ，４０８Ｂの内面４０９Ａ，４０９Ｂに設けた情報が必要になった場合には、起立シート４０２に設けたミシン目４４５に沿って起立片４０８Ａ，４０８Ｂを切り離し、図１２(B)に示すように、前記内面４０９Ａ，４０９Ｂを表側に表示する。
【００５０】
あるいは、図１２(C)に示す例のように、前記起立シート４０２の一方の起立片４０８Ａにスリット４４６を設け、該スリット４４６に、折り畳んだ防災用のカレンダー４４８などを挟んで、必要なときに広げて内容を確認するようにしてもよい。前記カレンダー４４８などをスリット４４６に挟み込むことにより、その重みによって起立シート４０２の下方を安定させることができる。また、前記カレンダー４４８の代わりに、表紙や月毎のカレンダーが切り離し可能に綴られたカレンダー４４９を折り曲げて、前記スリット４４６に掛けるようにしてもよい。図示の例では、前記カレンダー４４９は、各紙片の表面４４９Ａにカレンダーが表示され、裏面４４９Ｂには任意の情報が表示されている。前記裏面４４９Ｂに設ける表示内容としては、日頃の注意事項などであってもよいし、季節や月毎の生活のヒントや、期間限定のサービス券や割引券などであってもよい。また、例えば、クーポン券とともにＵＲＬやＱＲコード，あるいは、バーコードなどを表示することにより、携帯端末やＰＣからサービス内容の確認をとれるようにしてもよい。このようにすると、カレンダー４４９を切り取る際に、新しい月に関する情報を忘れずに確認することが可能となる。
【００５１】
このように実施例８によれば、起立シート４０２の内側に設けた支持シート４１６によって突出片４３０の端部４３０Ｂを支持し、ベース側シート１２を開いたときに、前記起立シート４０２の第１の折り目４０４に設けたスリット４０６から前記突出片４３０を突出させることとしたので、前記突出片４３０の端部４３０Ａに保持したメッセージカード４４０を目立たせて視覚的効果の向上を図ることができる。むろん、上述した実施例と同様に、突出片４３０やメッセージカード４４０が不要になったあとのポップアップ構造体４００を、他の用途に利用するようにしてもよいし、起立片４０８Ａ，４０８Ｂに窓を設けたり、固定片４１２Ａ，４１２Ｂと見開き部１６Ａ，１６Ｂの間に収納部を形成したりするようにしてもよい。
【００５２】
図１３には、本実施例の変形例が示されている。前記図１１及び図１２に示した例では、前記支持シート４１６は、図１３(A)に示すように、起立片４２０Ａ，４２０Ｂとベース側シート１２によって二等辺三角形を形成するように、固定片４２４Ａ，４２４Ｂをベース側シート１２の折り目１４から離して固定することとした。これに対し、図１３(B)に示す支持シート４１６Ａは、前記起立片４２０Ａ，４２０Ｂを、前記突出片４３０の端部４３０Ｂを支持する部分を除いて貼り合わせ、第２の折り目４２２Ａ，４２２Ｂが前記折り目１４に重ねるように固定片４２４Ａ，４２４Ｂを固定した例である。このように、前記支持シート４１６を形成する素材の腰が弱い場合は図１３(A)に示す形状とし、腰が強い素材を用いた場合には、図１３(B)に示す形状とするなど、支持シートを形成する素材の性質に応じて形状を使い分けてもよい。
【００５３】
また、図１３(C)に示す例は、起立シート４０２の起立片４０８Ａにスリット４５０を設け、該スリット４５０から前記突出片４３０を突出させた構造となっている。前記スリット４５０は、他方の起立片４０８Ｂ側に設けるようにしてもよく、その位置の必要に応じて適宜変更してよい。図１３(D)に示す例は、支持シート４１６Ｂを、ベース側シート１２の全幅に沿って設けた例である。このように、支持シート４１６Ｂを長くすると、安定性の向上を図ることが可能になるとともに、ベース側シート１２への接着時の位置合わせも容易となる。また、前記支持シート４１６Ｂの折り目に切り込み４１９を形成し、該切り込み４１９にＣＤなどの被保持体４０を挟むようにしてもよい。なお、前記被保持体４０は、前記支持シート４１６Ｂに差し込むことなく、起立シート４０２の起立片４０８Ａ，４０８Ｂによって形成される空間の中に、直接収納するようにしてもよい。むろん、ＣＤに限らず、写真やカレンダーなど各種のものが収納可能である。
【００５４】
更に、図１３(E-1)及び(E-2)に示す例は、突出片４３０の幅を前記支持シート４１６のスリット４１８の幅よりも若干大きく設定するとともに、端部４３０Ｂにスリット４５２Ａ，４５２Ｂを設けた例である。前記突出片４３０を若干折り曲げて支持シート４１６のスリット４１８に差し込み、スリット４５２Ａ，４５２Ｂのいずれかを前記スリット４１８の縁に係合させると、支持シート４１６に対して突出片４３０を固定することができる。なお、スリット４５２Ａ，４５２Ｂのいずれを使用するかは、突出片４３０の突出量に応じて決定すればよい。また、前記スリット４５２Ａ，４５２Ｂは、いずれか一方のみを設けるようにしてもよいし、更に他のスリットを設けるなど、必要に応じて適宜増減してよい。あるいは、起立片４２０Ａ，４２０Ｂの適宜位置に、切り込み４１８Ａ，４１８Ｂを設け、図１３(E-2)に示すように、該切り込み４１８Ａ，４１８Ｂ，前記スリット４１８の１つ以上に、前記突出片４３０や他の被保持体を保持させるようにしてもよい。更に、図１３(E-1)に点線で示すように、支持シート４１６の折り目４１７に切り込み４１９Ａを設け、前記スリット４１８と同様に利用してもよい。
【００５５】
図１３(F)に示す例は、突出片４６０の端部に、２本指を模した分岐端４６２Ａ，４６２Ｂを設け、これら分岐端４６２Ａ，４６２Ｂによってメッセージカード４４０を保持した例である。図１３(G)に示す例は、突出片４６４の端部４６４Ａを矢印の形状とした例であって、該端部４６４Ａによって前記メッセージカード４４０を保持する構造となっている。図１３(H)に示す例は、前記支持シート４１６を用いずに、前記突出片４３０の端部４３０Ｂを折り曲げて、該折り曲げ部分を前記見開き部１６Ｂに貼り付けた例である。前記図１３(B)〜(H)に示すいずれの変形例の場合も、基本的な作用及び効果は、上述した図１１及び図１２に示す例と同様である。
【実施例９】
【００５６】
次に、図１４を参照しながら本発明の実施例９を説明する。本実施例は、ベース側シート上に立ち上がる起立シートの側方から、被保持体が突出する構成とした例である。図１４(A)は外観斜視図，図１４(B)は突出シートを示す斜視図，図１４(C)は閉じた状態を示す斜視図，図１４(D-1)及び(D-2)は本実施例の変形例の主要部を示す斜視図である。本実施例のポップアップ構造体５００は、ベース側シート１２と、起立シート５０２と、突出シート５２０により構成されている。前記起立シート５０２は、見開き部１６Ａ，１６Ｂの折り目１４と略平行な第１の折り目５０４を介して連続した一対の起立片５０６Ａ，５０６Ｂと、前記第１の折り目５０４と略平行な一対の第２の折り目５０８Ａ，５０８Ｂを介して前記起立片５０６Ａ，５０６Ｂの端部に連続した一対の固定片５１０Ａ，５１０Ｂにより構成されている。前記固定片５１０Ａ，５１０Ｂは、見開き部１６Ａ，１６Ｂとの間に収納部５１２Ａ，５１２Ｂを形成するように、適宜手段で前記見開き部１６Ａ，１６Ｂに固定される。
【００５７】
次に、前記突出シート５２０は、図１４(B)に示すように略帯状に形成されており、その略中央部には、長さ方向と略直交する方向に第１の折り目５２２が形成されている。また、前記第１の折り目５２２の両側には所定の間隔をおいて、前記第１の折り目５２２と非平行な一対の第２の折り目５２８Ａ，５２８Ｂが形成されている。更に、該第２の折り目５２８Ａ，５２８Ｂの両側には、前記第１の折り目と非平行な一対の第３の折り目５３０Ａ，５３０Ｂが形成されている。前記第１の折り目５２２と第２の折り目５２８Ａ，５２８Ｂの間は、被保持体４０を挟む把持部５３２Ａ，５３２Ｂとなっており、前記第２の折り目５２８Ａ，５２８Ｂと第３の折り目５３０Ａ，５３０Ｂの間は、被保持体４０を支持する支持部５３４Ａ，５３４Ｂとなっている。また、第３の折り目５３０Ａ，５３０Ｂから端部にかけては、前記見開き部１６Ａ，１６Ｂに固定するための固定部５３６Ａ，５３６Ｂとなっている。
【００５８】
前記第１の折り目５２２には、被保持体４０の縁の一部が貫通ないし挟み込み可能なスリット（ないし切り込み）５２４が形成されており、前記把持部５３２Ａ，５３２Ｂには、前記被保持体４０の孔４２に係合可能な略半円状の係止片５２６Ａ，５２６Ｂが、切り込みによって形成されている。本実施例では、前記係止片５２６Ａ，５２６Ｂは、折り返し方向が逆になるように形成されている。以上のような突出シート５２０は、前記第２の折り目５２８Ａ，５２８Ｂ及び第３の折り目５３０Ａ，５３０Ｂを、前記第１の折り目５２２と逆方向に折った状態で、前記固定部５３６Ａ，５３６Ｂとベース側シート１２の折り目１４に所定の間隔があくように、前記起立シート５０２の内側において見開き部１６Ａ，１６Ｂに取り付けられる。なお、突出シート５２０をベース側シート１２に取り付ける前に、前記把持部５３２Ａ，５３２Ｂに被保持体４０を挟み、その縁の一部を前記スリット５２４に挟み込むとともに、係止片５２６Ａ，５２６Ｂを孔４２に係合させて互いに逆向きに折り返すことにより、予め被保持体４０を取り付けておくようにするとよい。
【００５９】
本実施例では、図１４(C)に示すように、ベース側シート１２を閉じた状態では、起立シート５０２は、第１の折り目５０４及び第２の折り目５０８Ａ，５０８Ｂが折り曲げられて、見開き部１６Ａ，１６Ｂの内側に折り畳まれている。そして、前記突出シート５２０は、第３の折り目５３０Ａ，５３０Ｂが開き、第２の折り目５２８Ａ，５２８Ｂが折り曲がることによって、全体が前記一対の起立片５０６Ａ，５０６Ｂの内側に折り畳み収納される。そして、前記見開き部１６Ａ，１６Ｂを開くと、図１４(A)に示すように、前記起立シート５２０は、第１の折り目５０４を頂部として一対の起立片５０６Ａ，５０６Ｂがベース側シート１２上に立ち上がる。これと同時に、立ち上がった起立片５０６Ａ，５０６Ｂの内側で、突出シート５２０の第３の折り目５３０Ａ，５３０Ｂが折れ曲がり、前記把持部５３２Ａ，５３２Ｂに把持された被保持体４０が、起立片５０６Ａ，５０６Ｂの側方から飛び出す。このとき、前記被保持体４０が、例えば、ＣＤやＤＶＤなどであれば、その重みにより、支持部５３４Ａ，５３４Ｂが予測不能なカーブを描き、視覚的効果の高い動きを生じる。
【００６０】
なお、前記突出シート５２０は、図示の例では、起立片５０６Ａ，５０６Ｂの一方の側方にのみ設けることとしたが、両側方に設けるようにしてもよい。また、被保持体４０としては、ＣＤなどに限定されるものではなく、各種案内カードなどであってもよい。例えば、本実施例のポップアップ構造体５００を、緊急災害時心得カレンダーとして使用する場合、被保持体４０としてメッセージカードを装着し、前記把持部５３２Ａ，５３２Ｂの表面には、起立片５０６Ａ，５０６Ｂの内面に設けた内容を示すタイトル（例えば「緊急災害心得カレンダー」）を設ける。前記起立片５０６Ａ，５０６Ｂの内面には、災害時に役立つ情報やユーザが情報を書き込みできる余白などが設けられている。前記情報とは、例えば、居住地区の連絡先，避難先，都道府県，安全避難留守電登録先などである。
【００６１】
このような構成のポップアップ構造体５００では、仮に災害が起こった場合、ユーザは、起立片５０６Ａ，５０６Ｂの表面又は内面の情報を確認するとともに、裏面に接着層が設けられたメッセージカードを突出シート５２０から外して、カレンダーの表面や、その他の重要保存シートに貼ることで、安心を呼ぶカレンダーとして有効利用できる。また、メッセージカードを利用することにより、手書きする手間を省くことができる。前記メッセージカードは、同じ文章のものを複数用意してもよいし、状況に応じて選ぶことができるように複数の内容のものをセットにして用意してもよい。
【００６２】
このように、実施例９によれば、ベース側シート１２上に立ち上がった一対の起立片５０６Ａ，５０６Ｂの側方から、突出シート５２０が突出するとともに、該突出シート５２０に保持された被保持体４０の重さにより、前記突出シート５２０が予期せぬ動き（上下運動など）を起こすため、高い視覚効果を得ることができる。また、被保持体４０や、起立シート５０２に設ける情報を工夫することにより、用途の多様化と利用価値の向上を図ることができる。
【００６３】
また、図１４(D-1)及び(D-2)に示すように、前記起立シート５０２の起立片５０６Ａの適宜位置にスリット５３８を設け、該スリット５３８に、前記ベース側シート１２を開いたときに前記突出シート５２０と係合して突出を抑える係止片５４０を着脱可能に取り付けるようにしてもよい。前記係止片５４０には、例えば、前記突出シート５２０に保持された被保持体４０の存在を示す文字などを設けておき、図１４(D-2)に示すように、前記係止片５４０をスリット５３８から抜き取ったときに、前記突出シート５２０及び被保持体４０を、起立シート５０２の側端から突出させる。前記係止片５４０は、メッセージカードなどのほか、メモや折り畳んだ手紙などであってもよい。なお、前記被保持体４０は、一例であり、突出シート５２０によって突出させるものは各種メッセージや試供品など、任意の物品が可能である。また、前記突出シート５２０に挟む込む形態に限定されず、剥離可能な接着剤などで突出シート５２０の把持部５３２Ａ，５３２Ｂにメッセージや試供品などを貼り付けるようにしてもよい。
【実施例１０】
【００６４】
次に、図１５を参照しながら本発明の実施例１０を説明する。図１５(A)は外観斜視図，図１５(B)は突出シートを示す平面図，図１５(C-1)〜(C-3)は、本実施例の変形例の主要部を示す斜視図である。本実施例も、上述した実施例９と同様に、ベース側シート上の起立シートの側方から、突出シートが突出する構成となっている。ポップアップ構造体５５０は、ベース側シート１２，起立シート５０２Ａ，突出シート５５２により構成されている。前記起立シート５０２Ａは、固定片５１０Ａ，５１０Ｂの長さが異なるほかは、前記実施例９に示した起立シート５０２と同様の構成となっている。前記突出シート５５２は、略中央に形成された第１の折り目５５４を介して連続する一対の固定片５５６Ａ，５５６Ｂと、前記第１の折り目５５４の一端と非平行状態で連続する一対の第２の折り目５５８Ａ，５５８Ｂを介して前記固定片５５６Ａ，５５６Ｂに連続する突出片５６２Ａ，５６２Ｂを有している。前記突出片５６２Ａ，５６２Ｂは、前記第１の折り目５５４の延長上に位置し、かつ、前記第１の折り目５５４及び第２の折り目５５８Ａ，５５８Ｂの端部と接続する第３の折り目５６０を介して連続している。前記突出シート５５２は、前記第１の折り目５５４及び第２の折り目５５８Ａ，５５８Ｂを同方向に折り、前記第３の折り目５６０をその逆方向に折った状態で、前記第１の折り目５５４がベース側シート１２の折り目１４と重なるように、前記一対の起立片５０６Ａ，５０６Ｂの内側で前記見開き部１６Ａ，１６Ｂに固定される。
【００６５】
本実施例では、見開き部１６Ａ，１６Ｂを閉じると、前記起立シート５０２Ａが、第１の折り目５０４を頂部として見開き部１６Ａ，１６Ｂの間に折り畳まれるとともに、前記突出シート５５２の前記第２の折り目５５８Ａ，５５８Ｂと第３の折り目５６０が逆方向に折れて、前記突出シート５５２が一対の起立片５０６Ａ，５０６Ｂの内側に収納される。一方、前記見開き部１６Ａ，１６Ｂを開くと、図１５(A)に２点鎖線で示すように、第２の折り目５５８Ａ，５５８Ｂが開き、突出片５６２Ａ，５６２Ｂが傾斜状態のまま設置面に限りなく近づく。このため、前記突出片５６２Ａ，５６２Ｂに設けたタイトルなどが見やすくなるという効果が得られる。また、前記突出片５６２Ａ，５６２Ｂに、被保持体などを接着したり、該被保持体を保持するスリットなどを設けたりしてもよい。
【００６６】
図１５(C-1)〜(C-3)には、本実施例の変形例が示されている。まず、図１５(C-1)に示す例は、前記突出シート５５２の第３の折り目５６０にスリット５７０を設けるとともに、該スリット５７０にメッセージカードなどの略帯状の被保持体５７２を取り付けた例である。前記被保持体５７２は、前記スリット５７０よりも若干幅が大きく設定されるとともに、前記スリット５７０の縁部と係合可能な切り込み５７２Ａ，５７２Ｂを備えている。前記被保持体５７２は、若干折り曲げて前記スリット５７０に差し込み、前記切り込み５７２Ａ，５７２Ｂを前記スリット５７０の縁部に係合させることにより前記突出シート５５２に取り付けられる。また、必要に応じて、他の切り込み５７３Ａ及び５７３Ｂを設けて、突出片５６２Ａ，５６２Ｂに対する取り付け高さを変更可能としてもよい。図１５(C-2)に示す例は、一対の固定片５７６Ａ，５７６Ｂと起立片５７６Ｃが、折り目５７８Ａ，５７８Ｂを介して連続した被保持体５７４を、前記固定片５７６Ａ，５７６Ｂを接着剤５７７などにより、突出シート５５２の突出片５６２Ａ，５６２Ｂに取り付けた例である。前記起立片５７６Ｃには、任意のメッセージなどが表示されている。また、図１５(C-3)に示す例のように、固定片５８２Ａと起立片５８２Ｂが、折り目５８４を介して連続した形状の被保持体５８０を、前記突出シート５５２に設けるようにしてもよい。上述した図１５(C-1)〜(C-3)に示す例は、前記図１５(A)及び(B)に示す形態の基本的効果に加え、視覚的効果の一層の向上を図ることが可能となる。
【実施例１１】
【００６７】
次に、図１６(A)を参照して、本発明の実施例１１を説明する。本実施例は、上述した実施例１及び実施例８を組み合わせた例であり、図１６(A)はその外観斜視図である。本実施例のポップアップ構造体６００は、ベース側シート１２，起立シート６０２，支持シート６２０，突出片６２２及びメッセージカード６２４により構成されている。前記起立シート６０２は、第１の折り目６０４を介して一対の起立片６０６Ａ，６０６Ｂが連続しており、該起立片６０６Ａ，６０６Ｂの端部には、前記第１の折り目６０４と略平行な第２の折り目６０８Ａ，６０８Ｂを介して一対の固定片６１０Ａ，６１０Ｂが設けられている。そして、前記固定片６１０Ａ，６１０Ｂが、前記ベース側シート１２の折り目１４から所定の間隔をおいて、図示しない接着剤などにより見開き部１６Ａ，１６Ｂに固定されている。また、前記第１の折り目６０４には、スリット６１４が形成されており、該スリット６１４の両側には、必要に応じて切り離し可能なミシン目（図示せず）が、前記第１の折り目６０４と略平行に設けられる。
【００６８】
また、前記一対の起立片６０６Ａ，６０６Ｂには、前記実施例１と同様の一対のスリット６１６Ａ，６１６Ｂが、前記第１の折り目６０４と略平行に形成されている。更に、前記固定片６１０Ａ，６１０Ｂには、略３角形の切り込み６１２Ａ，６１２Ｂが設けられており、ベース側シート１２の見開き部１６Ａ，１６Ｂと固定片６１０Ａ，６１０Ｂとの間に形成された収納部６１１Ａ，６１１Ｂに収納された内容物を確認するための窓を形成している。また、前記支持シート６２０は、基本的には、上述した実施例８の支持シート４１６と同様の構成となっており、前記起立シート６０２のスリット６１４を貫通する突出片６２２の一端を支持可能となっている。なお、前記突出片６２２の他端には、メッセージカード６２４などが適宜手段によって取り付けられている。
【００６９】
本実施例のポップアップ構造体６００には、前記突出片６２２及びメッセージカード６２４のほか、多種多様の物品が保持可能となっている。例えば、前記突出片６２２をスリット６１４から取り外した後に、他のメモやメッセージなどの被保持体６３０Ａを、前記スリット６１４に差してもよいし、被保持体４０を取り外した後のスリット６１６Ａ，６１６Ｂのいずれかに、カードやメッセージのような被保持体６３０Ｂを折って掛けるようにしてもよい。あるいは、起立片６０６Ａ又は６０６Ｂに、付箋などの被保持体６３０Ｃを貼り付けるようにしてもよい。また、前記収納部６１１Ａや６１１Ｂに、小冊子やメモのような被保持体６３０Ｄ，６３０Ｅを挟むようにしてもよいし、前記被保持体４０を袋６３２に収納した状態で挟むようにしてもよい。更に、シャンプーや食品のサンプルなどが封入されたピロパックのように腰がない被保持体６３０Ｆの場合には、紙６３４などで挟んでからスリット６１６Ａ，６１６Ｂに挟んでもよいし、収納部６１１Ａ，６１１Ｂに収納するようにしてもよい。むろん、ここで示した被保持体６３０Ａ〜６３０Ｆは一例であり、前記スリット６１４，６１６Ａ，６１６Ｂ，収納部６１１Ａ及び６１１Ｂに収納ないし保持可能な寸法及び形状のもの全般に本実施例は適用可納である。
【実施例１２】
【００７０】
次に、図１６(B)を参照して本発明の実施例１２を説明する。本実施例も、前記実施例１１と同様に、上述した実施例１及び実施例８を組み合わせた構造となっており、図１６(B)にはその外観斜視図が示されている。本実施例のポップアップ構造体７００は、ベース側シート１２，起立シート７１０，支持シート７３０，突出片７３２及び７３４，メッセージカード７３６により構成されている。前記起立シート７１０は、第１の折り目７１２を介して一対の起立片７１４Ａ，７１４Ｂが連続しており、該起立片７１４Ａ，７１４Ｂの端部には、前記第１の折り目７１２と略平行な第２の折り目７１６Ａ，７１６Ｂを介して一対の固定片７１８Ａ，７１８Ｂが設けられている。そして、前記固定片７１８Ａ，７１８Ｂが、前記ベース側シート１２の折り目１４から所定の間隔をおいて、図示しない接着剤などにより見開き部１６Ａ，１６Ｂに固定されている。また、前記第１の折り目７１２の両端側には、スリット７２０Ａ，７２０Ｂが形成されており、該スリット７２０Ａ，７２０Ｂの下縁に沿って切り離し可能なミシン目７１３が、前記第１の折り目７１２と略平行に設けられている。
【００７１】
前記一対の起立片７１４Ａ，７１４Ｂには、前記第１の折り目７１２と略平行な一対のスリット７２２が形成されており、該スリット７２２の略中央部には、係合片７２４と凹部７２６が設けられている。前記支持シート７３０は、基本的には、上述した実施例８の変形例の支持シート４１６Ｂと同様の構成となっており、ベース側シート１２の全幅に渡って形成され、前記突出片７３２及び７３４の一端を支持している。なお、本実施例では、前記突出片７３２，７３４の間隔は、前記スリット７２２に保持された被保持体４０の径とほぼ同等となるように形成されており、これら突出片７３２，７３４の間に被保持体４０を挟むことにより、被保持体４０をより安定させることができる。また、図示の例では、一方の突出片７３４の先端にメッセージカード７３６が取り付けられているが、他方の突出片７３２に取り付けるようにしてもよいし、突出片７３２，７３４の双方にメッセージカードを取り付けるようにしてもよい。更に、本実施例では、前記起立シート７１０とベース側シート１２に跨って連続するミシン目７４０Ａ，７４０Ｂが適宜位置に形成されている。
【００７２】
本実施例の使用方法は、上述した実施例１１と同様であり、多種多様の被保持体の収納ないし保持が可能である。それに加え、本実施例では、前記ミシン目７４０Ａ，７４０Ｂを設けることとしたので、これらミシン目に沿って不要な部分を切り離すことにより、必要な部分のみを残して使用することができる。なお、前記ミシン目７４０Ａ，７４０Ｂは一例であり、必要に応じて数を増減してもよいし、設ける位置も適宜変更可能である。
【００７３】
なお、本発明は、上述した実施例に限定されるものではなく、本発明の要旨を逸脱しない範囲内において種々変更を加え得ることができる。例えば、以下のものも含まれる。
(1)前記実施例で示した形状及び寸法は一例であり、必要に応じて適宜変更してよい。
(2)前記実施例を構成する材料も任意であり、主に紙類が利用されるが、プラスチックや金属の薄板（例えば、アルミシートなど）を用いるようにしてもよい。また、ベース側シートや起立シートを構成する材料として、静電気防止効果や磁気遮蔽効果を有する材料などを用いるようにしてもよい。
(3)前記実施例で示したベース側シートと起立シートの固定方法，あるいは、前記ベース側シートと突出シートの固定方法，ベース側シートと支持シートの固定方法も一例であり、同様の効果を奏するものであれば、公知の各種の固定方法を用いてよい。
【００７４】
(4)前記実施例６で示した窓も一例であり、必要に応じて適宜変更してよい。例えば、前記実施例では、窓を起立片の中間部分に設けることとしたが、図１７(A)に示す起立シート２０Ｅのように、第２の折り目２６Ａ，２６Ｂに沿って折り曲げ可能な起き返し片８００Ａ，８００Ｂを設けて窓８０６Ａ，８０６Ｂを形成するようにしてもよい。図示の例では、前記起き返し片８００Ａ，８００Ｂは、前記第２の折り目２６Ａ，２６Ｂと略平行な他の折り目８０２Ａ，８０２Ｂに沿って折り曲げられており、起立部８０４Ａ，８０４Ｂの先端が接触するように折り曲げられている。この形態では、前記起き返し片８００Ａ，８００Ｂが傾斜しているため、タイトルなどを表示すれば目立たせることが可能となる。あるいは、図１７(B)に示す例のように、前記起き返し片８００Ａ，８００Ｂを、第２の折り目２６Ａ，２６Ｂから他の折り目８０２Ａ，８０２Ｂまで、ベース側シート１２の見開き部１６Ａ，１６Ｂに接着剤８０８などで固定して安定感の向上を図るようにしてもよい。
【００７５】
更に、図１７(C)に示す例のように、前記起き返し片８００Ａ，８００Ｂを、第２の折り目２６Ａ，２６Ｂから他の折り目８０２Ａ，８０２Ｂまで、ベース側シート１２の見開き部１６Ａ，１６Ｂに接着剤８０８などで固定するとともに、起立部８０４Ａ，８０４Ｂを接着剤８０８などで完全に貼り合わせるようにしてもよい。あるいは、図１７(D)に示す例のように、前記起立部８０４Ａ，８０４Ｂのみを貼り合わせ、第２の折り目２６Ａ，２６Ｂから他の折り目８０２Ａ，８０２Ｂまでの部分は、ベース側シート１２に対して非接着状態としてもよい。このほか、図１８(A)に示す起立シート２０Ｆのように、起き返し片８１０Ａ，８１０Ｂと、窓８１２Ａ，８１２Ｂの形状が異なるような形態としても、上述した実施例６と同様の作用・効果が得られる。図示の例では、前記起き返し片８１０Ａ，８１０Ｂが車の形状となっているが、これに限定されるものではなく、任意の形状としてよい。窓８１２Ａ，８１２Ｂの形状についても同様である。
【００７６】
(5)前記実施例で示したベース側シート１２も一例であり、図１８(B)に示すベース側シート１２Ｂのように、折り目１４に跨るように略半月状の切り込みを設けることによって、折り目８２２Ａ，８２２Ｂに沿って折り曲げ可能な起き返し片８２０Ａ，８２０Ｂを形成するようにしてもよい。ベース側シート１２Ｂの見開き部１６Ａ，１６Ｂを完全に開いた状態で前記起き返し片８２０Ａ，８２０Ｂを起こすことにより、折り目１４の折り癖を矯正する（伸ばす）ことが可能となる。
【００７７】
(6)前記実施例１で示した雑誌への取付方法も一例であり、同様の効果を奏するように適宜変更してよい。例えば、図１９(A)に示す例では、ポップアップ構造体１０の一方の見開き部１６Ａを、他方の見開き部１６Ｂよりも若干長く形成し、その先端近傍にミシン目８３４が設けられている。そして、前記ポップアップ構造体１０を、本８３０の任意のページ８３２の間に挟み込み、前記ミシン目８３４よりも端の部分を、他のページ８３２とともに接着剤８３６で接着して無線綴じするというように、製本時に挟み込むようにしてもよい。ユーザが本８３０を開いてポップアップ構造体１０を見つけたら、本８３０に挟み込んだまま見開き部１６Ａ，１６Ｂを開くようにしてもよいし、前記ミシン目８３４で切り取ってから開くようにしてもよい。
【００７８】
あるいは、図１９(B)に示す例のように、ポップアップ構造体１０の折り目１４側を一部接着剤８３６で接着し、接着部分の適宜位置に切り離し用のミシン目８４０を設ける。そして、前記折り目１４側を他のページ８３２の端と合わせて、前記図１９(A)に示す例と同様に接着剤８３６で綴じるようにしてもよい。これに加え、前記見開き部１６Ａ，１６Ｂの縁部が開かないように、剥離可能な接着剤で糊付けをするようにしてもよいし、一部拡大して示すように、シール８４６などによって、ポップアップ構造体１０の中身が外側から確認できないようにしてもよい。更に、図１９(C)に示す例のように、ベース側シート１２の折り目１４に点線状の穴８４２を設け、該穴８４２の部分に接着剤８３６を注入して見開き部１６Ａと１６Ｂを接着すると同時に、残った接着剤８３６で、他のページ８３２の折り丁同士を接着するというように、あじろ綴としてもよい。この場合も、必要に応じて、前記見開き部１６Ａ，１６Ｂの縁部を前記シール８４６などの適宜手段で貼り合わせてもよい。
【００７９】
更に、図２０に示す例のように、ベース側シート１２の一方の見開き部１６Ａを、他方の見開き部１６Ｂよりも長く形成し、折り目１７で折り曲げるとともに、折り返し片１６Ｃと前記見開き部１６Ｂの縁部側の重なり部分を、前記接着剤８３６で剥離可能に貼り合わせた構造のポップアップ構造体１０Ｆを、雑誌などに取付けるようにしてもよい。前記ポップアップ構造体１０Ｆは、前記折り目１７側の適宜位置にミシン目８３４が形成されており、該ミシン目８３４よりも端の部分が、他のページ８３２とともに任意の方法で綴じられる。ユーザが前記ミシン目８３４に沿って切り離すと、ポップアップ構造体１０Ｆの中身を確認することができる。本例によれば、見開き部１６Ａの折り返し片１６Ｃが、他方の見開き部１６の縁部近傍で貼り合わせられているため、ポップアップ構造体１０Ｆの中身が外部から確認できず、悪戯や盗難などの抑制に効果がある。なお、前記折り返し片１６Ｃは、シール８４８によって見開き部１６Ｂに接着するようにしてもよい。
【００８０】
前記実施例１では、前記ポップアップ構造体１０を、雑誌の見開き部に跨るように設けることとしたがこれも一例であり、図１９(D)に示す例のように、一方の見開き部１６Ａを他方の見開き部１６Ｂよりも長くして縁部近傍にミシン目８３４を設けたポップアップ構造体１０を、前記ミシン目８３４よりも端の部分を一枚のページ８３２に接着剤８３６などで貼り付けるようにしてもよい。このようにすると、内容物が簡単には見えないため、ユーザの興味をひくことができる。前記接着剤８３６としては、繰り返し添付・剥離が可能なタイプのものを利用するようにすると、添付するページ８３２を汚すことなく、任意のページ８３２に貼り付けることができるため好都合である。また、図１９(E)に示す例のように、本８３０の一方の見開き部８３２Ａに、ベース側シート１２の折り目１４が前記本８３０の境目８４４と略直交する向きとなるように、ベース側シート１２の見開き部１６Ａ又は１６Ｂのいずれか一方を貼り付けるようにしてもよい。更に、本８３０の他方の見開き部８３２Ｂに、ベース側シート１２の折り目１４が前記境目８４４と略平行となる向きに、ベース側シート１６Ａ，１６Ｂのいずれか一方を貼り付けるようにしてもよい。
【００８１】
(7)前記実施例１〜１２のいずれかを組み合わせるようにしてもよい。例えば、前記実施例１と実施例９又は１０を組み合わせるようにしてもよいし、前記実施例９及び１０を組み合わせて、一対の起立片の両側方から異なる被保持体や突出片を突出する構成としてもよい。他の実施例同士の組み合わせについても同様である。
(8)前記実施例で示した組立手順も一例であり、同様の効果を奏するように適宜変更してよい。
【００８２】
(9)ベース側シート，起立シート，支持シート，突出片，被保持体のいずれかに、例えば、ＵＲＬ，ＱＲコード，バーコードなどの各種情報を表示するようにしてもよい。
(10)前記実施例では、被保持体としてＣＤ（コンパクトディスク）やメモなどを例に挙げたが、本発明は、他の公知の各種の略平面状の物品（例えば、ＤＶＤ，各種広告，案内メッセージ，呼びかけメッセージ，クレジットカード，招待券，割引券，販促カード，サンプル，名刺，葉書，チケットなど）全般に適用可能である。また、略平面状の被保持体が好適な適用例であるが、例えば、シャンプーの試供品などのように、他の形状の保持体を保持することを妨げるものではない。
【産業上の利用可能性】
【００８３】
本発明によれば、ベース側シートを開いたときに、見開き部分に立ち上がる一対の起立片の内側に収納されていたディスク状の被保持体を、略帯状体を複数の位置で折り返した突出シートによって把持した状態で、前記起立片の側方から外部に突出させることとした。このため、見開き状態でコンパクトディスクなどが側方に飛び出すポップアップ構造体の用途に適用できる。特に、雑誌などに綴じ込むポップアップ構造体の用途に好適である。
【図面の簡単な説明】
【００８４】
【図１】本発明の実施例１を示す図であり、(A)は外観斜視図，(B)は開閉中の状態を示す断面図，(C)は閉じた状態を示す断面図である。
【図２】前記実施例１の変形例を示す図であり、(A)は主要部を示す斜視図，(B)及び(C)は主要部を示す正面図，(D-1)は主要部を示す正面図，(D-2)及び(D-3)は前記(D-1)を＃２−＃２線に沿って切断し矢印方向に見た断面図である。
【図３】前記実施例１の変形例を示す図であり、(A)及び(C)は外観斜視図，(B)及び(D)は主要断面図である。
【図４】前記実施例１の使用例を示す図である。
【図５】前記実施例１の使用例を示す図である。
【図６】本発明の実施例２を示す図であり、(A)は外観斜視図，(B)はスリット近傍の接着範囲を示す正面図，(C)は断面図である。
【図７】本発明の実施例３を示す図であり、(A)は外観斜視図，(B)は断面図，(C)は使用例を示す図，(D)は変形例を示す図である。
【図８】本発明の実施例４及び５を示す図であり、(A)は実施例４の外観斜視図，(B)は実施例５の外観斜視図である。
【図９】本発明の実施例６を示す外観斜視図である。
【図１０】本発明の実施例７を示す図であり、(A-1)は外観斜視図，(A-2)は前記(A-1)を一部拡大して示す正面図，(B)は変形例を示す外観斜視図である。
【図１１】本発明の実施例８を示す図であり、(A)は外観斜視図，(B)は前記(A)を＃１１−＃１１線に沿って切断し矢印方向に見た断面図，(C)は前記(B)の一部拡大部，(D-1)及び(D-2)は開閉中の状態を示す正面図，(E)及び(F)は突出片及びメッセージカードを示す正面図である。
【図１２】前記実施例８の使用例を示す図である。
【図１３】前記実施例８の変形例を示す図である。
【図１４】本発明の実施例９を示す図であり、(A)は外観斜視図，(B)は突出シートを示す斜視図，(C)は収納状態を示す斜視図，(D-1)及び(D-2)は変形例を示す外観斜視図である。
【図１５】本発明の実施例１０を示す図であり、(A)は外観斜視図，(B)は突出シートを示す平面図，(C-1)〜(C-3)は変形例の主要部を示す斜視図である。
【図１６】本発明の実施例１１及び１２を示す図であり、(A)は実施例１１の外観斜視図，(B)は実施例１２の外観斜視図である。
【図１７】本発明の他の実施例を示す図である。
【図１８】本発明の他の実施例を示す図である。
【図１９】本発明の他の実施例を示す図である。
【図２０】本発明の他の実施例を示す図である。
【符号の説明】
【００８５】
１０，１０Ａ，１０Ｂ，１０Ｃ，１０Ｄ，１０Ｅ，１０Ｆ：ポップアップ構造体
１２，１２Ａ，１２Ｂ：ベース側シート
１４：折り目
１６Ａ，１６Ｂ：見開き部
１６Ｃ：折り返し片
１７：折り目
１８Ａ，１８Ｂ：切り込み
２０，２０Ａ，２０Ｂ，２０Ｃ，２０Ｄ，２０Ｅ，２０Ｆ：起立シート
２２：第１の折り目
２４Ａ，２４Ｂ：起立片
２５Ａ，２５Ｂ：内面
２６Ａ，２６Ｂ：第２の折り目
２８Ａ，２８Ｂ：固定片
３０Ａ，３０Ｂ：接着剤
３２Ａ，３２Ｂ：スリット
３４Ａ，３４Ｂ：係止片
３６Ａ，３６Ｂ：凹部
４０：被保持体
４２：孔
４４：シール
４６：メモ
５０，５６：切り込み
５２，５８：折り目
５４，６０：起き返し片
５４Ａ，６０Ａ：縁部
６２Ａ，６４Ａ，６６：係止片
６２Ｂ，６４Ｂ：凹部
６８：折り目
７０Ａ〜７０Ｅ：切り込みガイド
７２，７８：接着部
７４：切り抜き窓
７６：切り込み
８０：スリット
８２：メモ
８４：雑誌
８６：境目
８８Ａ，８８Ｂ：見開き部
８９：壁
９０：ピン
９２Ａ，９２Ｂ：被保持体
９４Ａ，９４Ｂ：起き返し片
９６Ａ，９６Ｂ：窓
１００，１００Ａ：ポップアップ構造体
１０２，１０２Ａ：起立シート
１０４：第１の折り目
１０６Ａ，１０６Ｂ：起立片
１０８：貼り合わせ部
１１０：スリット
１１２Ａ，１１２Ｂ：第２の折り目
１１４Ａ，１１４Ｂ：固定片
１１６：接着剤
１１８：凸部
１２０Ａ，１２０Ｂ：起き返し片
１２２：筋
１２４：窓
１２６：被保持体
１３０Ａ，１３０Ｂ：起き返し片
１３１Ａ，１３１Ｂ：窓
１３２Ａ，１３２Ｂ，１３３Ａ，１３３Ｂ：折り目
１３４Ａ，１３４Ｂ：起立部
１３６：切り落とし部
１３８Ａ：スリット
１４０Ａ，１４０Ｃ：凹部
１４０Ｂ：係止片
１５０：ポップアップ構造体
１５２，１５２Ａ：起立シート
１５４：第１の折り目
１５６Ａ，１５６Ｂ：起立片
１５８：貼り合わせ部
１６０：スリット
１６２：係止片
１６４：凹部
１６６Ａ，１６６Ｂ：第２の折り目
１６８Ａ，１６８Ｂ：固定片
１７０：接着剤
１７２：被接着部
１７４：台
２００：ポップアップ構造体
２０２：起立シート
２０４：第１の折り目
２０６Ａ，２０６Ｂ：第３の折り目
２０８：受部
２１０Ａ，２１０Ｂ：起立片
２１２Ａ，２１２Ｂ：第２の折り目
２１４Ａ，２１４Ｂ：固定片
２１６Ａ：スリット
２１８Ａ〜２１８Ｃ：被保持体
２２０：カバー
２５０：ポップアップ構造体
２５２：起立シート
２５４：第１の折り目
２５６Ａ，２５６Ｂ：第３の折り目
２５８：受部
２６０Ａ，２６０Ｂ：起立片
２６２：貼り合わせ部
２６４Ａ，２６４Ｂ：第２の折り目
２６６Ａ，２６６Ｂ：固定片
２６８Ａ：スリット
３００：ポップアップ構造体
３０２：起立シート
３０４：第１の折り目
３０６Ａ，３０６Ｂ：起立片
３０８Ａ，３０８Ｂ：第２の折り目
３１０Ａ，３１０Ｂ：固定片
３１２：スリット
３１４：係止片
３１６：凹部
３１８，３２０：スリット
３２２：被保持体
３２４Ａ，３２４Ｂ：スリット
３２６Ａ，３２６Ｂ：起立片
３２８：切り抜き部
３５０：ポップアップ構造体
３５２：起立シート
３５４：第１の折り目
３５６Ａ，３５６Ｂ：起立片
３５８Ａ，３５８Ｂ：第２の折り目
３６０Ａ，３６０Ｂ：固定片
３６２：スリット
３６４：係止片
３６６：凹部
３６８：スリット
３７０：起き返し片
３７１，３７２：折り目
３７３：窓
３７４：起立部
３７６：切り落とし部
３８０：被保持体
４００：ポップアップ構造体
４０２：起立シート
４０４：第１の折り目
４０６：スリット
４０８Ａ，４０８Ｂ：起立片
４０９Ａ，４０９Ｂ：内面
４１０Ａ，４１０Ｂ：第２の折り目
４１２Ａ，４１２Ｂ：固定片
４１３：切り込み
４１４：接着剤
４１６，４１６Ａ，４１６Ｂ：支持シート
４１６Ａ，４１６Ｂ：起立片
４１７：第１の折り目
４１８：スリット
４１８Ａ，４１８Ｂ，４１９，４１９Ａ：切り込み
４２０Ａ，４２０Ｂ：起立片
４２２Ａ，４２２Ｂ：第２の折り目
４２４Ａ，４２４Ｂ：固定片
４３０：突出片
４３０Ａ，４３０Ｂ：端部
４３２：切り込み
４４０：メッセージカード
４４１：写真
４４２Ａ，４４２Ｂ：切り込み
４４４Ａ，４４４Ｂ：折り目
４４５：ミシン目
４４６：スリット
４４８，４４９：カレンダー
４４９Ａ：表面
４４９Ｂ：裏面
４５０，４５２Ａ，４５２Ｂ：スリット
４６０，４６４：突出片
４６２Ａ，４６２Ｂ：分岐端
４６４Ａ：端部
４５０：ポップアップ構造体
４５２Ａ，４５２Ｂ：見開き部
４５４Ａ，４５４Ｂ：折り目
４５６Ａ，４５６Ｂ：起立片
４５８：第１の折り目
４６０：スリット
４６２Ａ，４６２Ｂ：端部
４６４：被保持体
４６６Ａ，４６６Ｂ：第２の折り目
４６８：窓
４７０：延長片
４７２：メモ帳
５００：ポップアップ構造体
５０２，５０２Ａ：起立シート
５０４：第１の折り目
５０６Ａ，５０６Ｂ：起立片
５０７Ａ，５０７Ｂ：内面
５０８Ａ，５０８Ｂ：第２の折り目
５１０Ａ，５１０Ｂ：固定片
５１２Ａ，５１２Ｂ：収納部
５２０：突出シート
５２２：第１の折り目
５２４：スリット
５２６Ａ，５２６Ｂ：係止片
５２８Ａ，５２８Ｂ：第２の折り目
５３０Ａ，５３０Ｂ：第３の折り目
５３２Ａ，５３２Ｂ：把持部
５３４Ａ，５３４Ｂ：支持部
５３６Ａ，５３６Ｂ：固定部
５３８：スリット
５４０：係止片
５５０：ポップアップ構造体
５５２：突出シート
５５４：第１の折り目
５５６Ａ，５５６Ｂ：固定片
５５８Ａ，５５８Ｂ：第２の折り目
５６０：第３の折り目
５６２Ａ，５６２Ｂ：突出片
５７０：スリット
５７２，５７４，５８０：被保持体
５７２Ａ，５７２Ｂ，５７３Ａ，５７３Ｂ：切り込み
５７６Ａ，５７６Ｂ，５８２Ａ：固定片
５７８Ａ，５７８Ｂ，５８４：折り目
５７６Ｃ，５８２Ｂ：起立片
５７７：接着剤
６００：ポップアップ構造体
６０２：起立シート
６０４：第１の折り目
６０６Ａ，６０６Ｂ：起立片
６０８Ａ，６０８Ｂ：第２の折り目
６１０Ａ，６１０Ｂ：固定片
６１１Ａ，６１１Ｂ：収納部
６１２Ａ，６１２Ｂ：切り込み
６１４，６１６Ａ，６１６Ｂ：スリット
６２０：支持シート
６２２：突出片
６２４：メッセージカード
６３０Ａ〜６３０Ｆ：被保持体
６３２：袋
６３４：紙
７００：ポップアップ構造体
７１０：起立シート
７１２：第１の折り目
７１３：ミシン目
７１４Ａ，７１４Ｂ：起立片
７１６Ａ，７１６Ｂ：第２の折り目
７１８Ａ，７１８Ｂ：固定片
７２０Ａ，７２０Ｂ，７２２：スリット
７２４：係止片
７２６：凹部
７３０：支持シート
７３２，７３４：突出片
７３６：メッセージカード
７４０Ａ，７４０Ｂ：ミシン目
８００Ａ，８００Ｂ，８１０Ａ，８１０Ｂ，８２０Ａ，８２０Ｂ：起き返し片
８０２Ａ，８０２Ｂ，８２２Ａ，８２２Ｂ：折り目
８０４Ａ，８０４Ｂ：起立部
８０６Ａ，８０６Ｂ，８１２Ａ，８１２Ｂ：窓
８０８：接着剤
８３０：本
８３２：ページ
８３２Ａ，８３２Ｂ：見開き部
８３４，８４０：ミシン目
８３６：接着剤（のり）
８４２：穴
８４４：境目
８４６，８４８：シール
【図１】
0005037300.tif 000002
【図２】
0005037300.tif 000003
【図３】
0005037300.tif 000004
【図４】
0005037300.tif 000005
【図５】
0005037300.tif 000006
【図６】
0005037300.tif 000007
【図７】
0005037300.tif 000008
【図８】
0005037300.tif 000009
【図９】
0005037300.tif 000010
【図１０】
0005037300.tif 000011
【図１１】
0005037300.tif 000012
【図１２】
0005037300.tif 000013
【図１３】
0005037300.tif 000014
【図１４】
0005037300.tif 000015
【図１５】
0005037300.tif 000016
【図１６】
0005037300.tif 000017
【図１７】
0005037300.tif 000018
【図１８】
0005037300.tif 000019
【図１９】
0005037300.tif 000020
【図２０】
0005037300.tif 000021